(57)【要約】      （修正有）【課題】飲食物を氷との直接接触により冷たくして飲食することができ、しかも、構造が簡単で安価に製造でき、家庭などにおいても容易に製氷可能な飲食用容器を提供する。【解決手段】ガラス製容器本体と、有底筒状又は柱状をなす凸部の上部外周に容器本体の口部に嵌合する嵌合部を有する製氷蓋からなり、嵌合部を容器本体口部に嵌合して製氷蓋を容器本体に装着することで容器本体内面と凸部の間に製氷スペースが形成され、製氷スペースに水を入れて凍らせた後製氷蓋を取り除くことで容器本体の内面に氷層を一体的に形成可能とする。ガラス製の容器本体の内面に氷層が一体的に形成されるので、手に持った場合や口当たりが冷たすぎるということがなく、氷が溶けることによって容器から水が滴ることもないので、これを防ぐような手段は全く不要である。製氷が容易であり、家庭などでも簡単に製氷を行うことができる。【選択図】図１
0003115523.tif 000002
【実用新案登録請求の範囲】
【請求項１】
ガラス製容器本体と、
有底筒状又は柱状をなす凸部の上部外周に前記容器本体の口部に嵌合する嵌合部を有する製氷蓋からなり、
前記嵌合部を前記容器本体口部に嵌合して前記製氷蓋を前記容器本体に装着することで前記容器本体内面と前記凸部の間に製氷スペースが形成され、
該製氷スペースに水を入れて凍らせた後前記製氷蓋を取り除くことで前記容器本体の内面に氷層を一体的に形成可能としたことを特徴とする飲食用容器。
【請求項２】
請求項１の飲食用容器において、前記製氷蓋の少なくとも前記凸部がプラスチック製又はゴム製であることを特徴とする飲食用容器。
【請求項３】
請求項１又は２の飲食用容器において、前記嵌合部が、前記凸部の上部外周に形成されたフランジとその下面に形成された環状溝であり、該環状溝に前記容器本体口部を嵌合することで前記製氷蓋を前記容器本体に装着することを特徴とする飲食用容器。
【請求項４】
請求項３の飲食用容器において、前記フランジに、水量調節用の孔を設けたことを特徴とする飲食用容器。
【請求項５】
請求項１又は２の飲食用容器において、前記嵌合部が、前記凸部上部の、外径が前記容器本体口部の内径と同じかやや大きく形成されている部分であり、前記容器本体の口部に前記嵌合部を内嵌することにより前記製氷蓋を前記容器本体に装着することを特徴とする飲食用容器。
【請求項６】
ガラス製容器本体の内面に氷層を一体的に形成したことを特徴とする飲食用容器。
【請求項７】
請求項１〜６のいずれかの飲食用容器において、前記容器本体内面に、前記氷層の浮き上がりを防止する凹凸が形成されていることを特徴とする飲食用容器。
【請求項８】
請求項１〜６のいずれかの飲食用容器において、前記容器本体内面に、上部がその下部よりも内径の小さな部分を有し、これにより、前記氷層の浮き上がりを防止することを特徴とする飲食用容器。
【請求項９】
請求項１〜８のいずれかの飲食用容器において、前記容器本体が、脚部又は把手を有することを特徴とする飲食用容器。
【考案の詳細な説明】
【技術分野】
【０００１】
本考案は、清涼飲料、ビールその他の酒類など冷たくして飲んでおいしい飲料を飲むため、また、刺身やサラダなどの冷たくして食べておいしい食物を盛りつけるための飲食用容器に関する。
【背景技術】
【０００２】
従来、冷たくしておいしい飲食物を入れるために、全体が氷でできた飲食用容器が使用されている。これは、氷の塊を鑿で削る彫刻によって製造したり、下記の特許文献１に示されるように、専用の金型で成形している。
【０００３】
しかしながら、氷の塊を鑿で削る方法は煩雑であるばかりでなく、製作のための特殊な技術が必要で、家庭などで簡単に作ることができない。専用の金型で形成する方法は、鑿で削る方法に比べれば簡単なものの、それでも製氷手段が複雑であり、金型も高価なものとなり、やはり家庭などで簡単に作ることができない。
【０００４】
また、全体が氷でできた飲食容器は、手に持った場合や口当たりが冷たすぎるという問題もある。また、氷の把手や脚が付いているものは、把手や脚の部分の氷が溶けやすく、把手や把手の強度が弱くなるという問題もある。さらに、氷が溶けることによって容器から水が滴るので、これを防ぐような手段が必要となる。例えば、下記特許文献２には、溶けた水がホルダー内に導かれてホルダー内部に収納されるコップが開示されている。しかし、このようなホルダーは構造がきわめて複雑であり、高価なものとなる。
【特許文献１】特開平１０−３２８００８
【特許文献２】特表２００２−５１９０８３
【考案の開示】
【考案が解決しようとする課題】
【０００５】
本考案は、飲食物を氷との直接接触により冷たくして飲食することができ、しかも、構造が簡単で安価に製造でき、家庭などにおいても容易に製氷可能な飲食用容器を開発することを課題としてなされたものである。
【課題を解決するための手段】
【０００６】
〔構成１〕
本考案は、ガラス製容器本体と、有底筒状又は柱状をなす凸部の上部外周に前記容器本体の口部に嵌合する嵌合部を有する製氷蓋からなり、前記嵌合部を前記容器本体口部に嵌合して前記製氷蓋を前記容器本体に装着することで前記容器本体内面と前記凸部の間に製氷スペースが形成され、該製氷スペースに水を入れて凍らせた後前記製氷蓋を取り除くことで前記容器本体の内面に氷層を一体的に形成可能としたことを特徴とする飲食用容器である。
【０００７】
〔構成２〕
また本考案は、前記構成の飲食用容器において、前記製氷蓋の少なくとも前記凸部がプラスチック製又はゴム製であることを特徴とする飲食用容器である。
【０００８】
〔構成３〕
また本考案は、前記構成１又は２の飲食用容器において、前記嵌合部が、前記凸部の上部外周に形成されたフランジとその下面に形成された環状溝であり、該環状溝に前記容器本体口部を嵌合することで前記製氷蓋を前記容器本体に装着することを特徴とする飲食用容器である。
【０００９】
〔構成４〕
また本考案は、前記構成３の飲食用容器において、前記フランジに、水量調節用の孔を設けたことを特徴とする飲食用容器である。
【００１０】
〔構成５〕
また本考案は、前記構成１又は２の飲食用容器において、前記嵌合部が、前記凸部上部の、外径が前記容器本体口部の内径と同じかやや大きく形成されている部分であり、前記容器本体の口部に前記嵌合部を内嵌することにより前記製氷蓋を前記容器本体に装着することを特徴とする飲食用容器である。
【００１１】
〔構成６〕
また本考案は、ガラス製容器本体の内面に氷層を一体的に形成したことを特徴とする飲食用容器である。
【００１２】
〔構成７〕
また本考案は、前記構成１〜６のいずれかの飲食用容器において、前記容器本体内面に、前記氷層の浮き上がりを防止する凹凸が形成されていることを特徴とする飲食用容器である。
【００１３】
〔構成８〕
また本考案は、前記構成１〜６のいずれかの飲食用容器において、前記容器本体内面に、上部がその下部よりも内径の小さな部分を有し、これにより、前記氷層の浮き上がりを防止することを特徴とする飲食用容器である。
【００１４】
〔構成９〕
また本考案は、前記構成１〜８のいずれかの飲食用容器において、前記容器本体が、脚部又は把手を有することを特徴とする飲食用容器である。
【考案の効果】
【００１５】
本考案の飲食用容器は、ガラス製の容器本体の内面に氷層が一体的に形成されるので、手に持った場合や口当たりが冷たすぎるということがなく、氷が溶けることによって容器から水が滴ることもないので、これを防ぐような手段は全く不要である。また、容器本体に適量の水を入れ、製氷蓋を装着した後に冷蔵庫の冷凍室で水を製氷し、最後に製氷蓋を取り除けばよいので、製氷が容易であり、家庭などでも簡単に製氷を行うことができる。また、氷の融けが遅いので、飲料や食品の味覚に優れる。
【考案を実施するための最良の形態】
【００１６】
製氷蓋の少なくとも凸部はプラスチック製（さらに好ましくは軟質プラスチック製）又はゴム製であることが望ましい。凸部をプラスチック製又はゴム製とすると、製氷の際水（氷）の体積が増加した場合に、プラスチック又はゴムの弾性により、凸部が水（氷）の体積増加を吸収し、ガラス製の容器本体が割れるのを防ぐことができる。
【００１７】
製氷蓋の嵌合部は、容器に蓋をする場合の様々な一般的な構成を採用できる。水の浮力に抵抗できればよい。その代表的なものとしては、前記「構成３」又は「構成５」に示した構成がある。前記「構成３」の場合、フランジに孔を設けると、製氷蓋をした状態で製氷スペースの水量の調整を行うことができ、また、製氷の際に余剰の水や空気を排出することができる。
【００１８】
容器本体内面には、凹凸を設けることが望ましい。これにより、氷層がある程度溶けて容器本体内面から分離した場合でも、氷層が浮き上がるのを防止できる。このような凹凸は、例えば、一般の吹き成形又はプレス成形した容器本体にいわゆるエクボ成形を行うことで形成することができる。また、容器本体内面に、上部がその下部よりも内径の小さな部分を設けることによっても、同様の効果を得ることができる。このような容器本体の形状は、例えば、一般の吹き成形により得ることができる。
【００１９】
容器本体に脚部又は把手を設けることができる。脚部又は把手を持つことで、冷たさを感じずに飲食容器を持つことができ、人の体温で氷層が溶けるのも防止できる。容器本体はガラス製なので、脚部又は把手の強度が失われることもない。
【実施例】
【００２０】
図１は実施例の飲食用容器の縦断端面図である。容器本体１は飲料グラスで、下部に脚（ステム）９が一体形成されており、口部の内径が、中央部の内径よりも小さい、いわゆる口窄まりの形状となっている。容器本体の形状は、飲食物を収納できる器であればよく、コップ状、鉢状など任意の形状を採用できる。製氷蓋２は軟質のプラスチック（例えばポリエチレン）製で、有底筒状の凸部３を有し、上端にフランジ５が形成され、その下面には環状溝６が形成され、さらに環状溝５の内側に孔８が設けられている。フランジ５及び環状溝５が嵌合部４を構成している。凸部は内部が詰まった柱状とすることもできるが、有底筒状とする方が材料を節約でき、変形しやすいので氷の体積膨張を吸収でき、製氷後に環状蓋を取り外す作業が容易である点で優れている。
【００２１】
容器本体１に適宜量の水１０を入れた後、製氷蓋２を、図１に示すように、容器本体１に装着する。このとき、製氷蓋２の環状溝６に容器本体１の口部を嵌合する。容器本体１の内面と凸部３の間が製氷スペース７となり、ここに水１０が入り込む。水の量は製氷後の体積膨張を勘案して調整する。製氷蓋を装着した後でも孔８から水を出し入れして水の量を調整できる。その後、この飲食用容器を冷凍庫に入れ、水を凍らせる。水が凍ったら容器を冷凍庫から取り出し、製氷蓋２を取り外す。この場合、製氷蓋２の凸部３内に水又は湯を入れると、製氷蓋を容易に取り外すことができる。図２は、製氷蓋２を取り外した容器（実施例）の縦断端面図で、容器本体１の内面に氷層１１が形成されている。容器本体１の口部の内径が、中央部の内径よりも小さいので、氷層１１が少し溶けて容器本体１から分離した場合でも、氷層１１が容器本体１から浮き上がることがない。
【００２２】
図３は、他の実施例の飲食用容器の縦断面図である。容器本体１は前記の図１、２の容器本体と同じものである。製氷蓋２はゴム（例えばシリコーンゴム）製で、有底筒状の凸部３を有し、上部に外径が前記容器本体口部の内径と同じかやや大きく形成されている嵌合部４を有し、さらにその上部にフランジ５が形成されている。嵌合部４の外径は、容器本体口部にしっかりと内嵌できる大きさであればよいが、特に、製氷蓋が軟質のものである場合は、容器口部内径よりもやや大きくすることが望ましい。フランジ５は、製氷蓋２を容器本体１に装着したときの位置決め（ストッパー）の役割を果たすばかりでなく、製氷蓋を容器本体から取り外すときの摘みとなる。容器本体１内に適宜量の水１０を入れ、製氷蓋２を、図３に示すように容器本体１に装着する。このとき、製氷蓋２の嵌合部４が容器本体１の口部に内嵌される。その後、上記の実施例と同様に水を凍らせ、製氷蓋２を取り外す。図４は、製氷蓋２を取り外した容器（実施例）の縦断端面図で、容器本体２の内面に氷層１１が形成されている。この場合は前記の実施例と比較して氷層の上端部を薄くできるので、飲料が飲みやすくなり、デザイン性も向上する。
【００２３】
図５は、他の実施例の飲食用容器の横断面図である。図５において、容器本体１の内面に形成された氷層１１の内面が襞状の凹凸模様を呈している。このような凹凸模様は、製氷蓋の凸部の外面に凹凸模様を形成しておくことで容易に形成することができる。また、凸部外面に文字や図形を刻印することで、氷層に文字や図形を形成することもできる。このようにすることで、本考案の飲食用容器のデザイン性を向上できる。
【００２４】
図６は、他の実施例の飲食用容器の縦断面図である。容器本体１はガラス製のジョッキで、把手１３を有し、内面に氷層１１が形成されている。容器本体１の内径は上部に行くに従ってやや拡がる形状であるが、内面に凹凸１２（この場合は凸）が形成されているために、氷層１１が少し溶けて容器本体１から分離した場合でも、氷層１１が容器本体１から浮き上がることがない。
【図面の簡単な説明】
【００２５】
【図１】実施例の飲食用容器の縦断端面図である。
【図２】内面に氷層を形成した容器本体１の縦断端面図である。
【図３】実施例の飲食用容器の縦断端面図である。
【図４】内面に氷層を形成した容器本体１の縦断端面図である。
【図５】内面に氷層を形成した容器本体１の横断端面図である。
【図６】内面に氷層を形成した容器本体１の縦断端面図である。
【符号の説明】
【００２６】
１  容器本体
２  製氷蓋
３  凸部
４  嵌合部
５  フランジ
６  環状溝
７  製氷スペース
８  孔
９  脚
１０  水
１１  氷層
１２  凹凸
１３  把手
【図１】
0003115523.tif 000003
【図２】
0003115523.tif 000004
【図３】
0003115523.tif 000005
【図４】
0003115523.tif 000006
【図５】
0003115523.tif 000007
【図６】
0003115523.tif 000008